(57)【要約】  本発明は、データ送信方法、装置及びシステムを開示する。データ送信方法は、無線ネットワーク側と接続を確立する前に、無線端末が無線ネットワーク側に送信すべきデータを有するか否かを検出するステップであり、送信すべきデータは、無線端末と無線ネットワーク側との間の接続を確立するためのシグナリングデータを含むステップと、無線端末が無線ネットワーク側に送信すべきデータを有するか否かを検出した結果が、無線端末が送信すべきデータを有さないものである場合、無線端末の電力増幅器PAが非動作状態にあることを確保するステップと、無線端末が無線ネットワーク側に送信すべきデータを有するか否かを検出した結果が、無線端末が送信すべきデータを有するものである場合、無線端末のPAが動作状態にあることを確保するステップとを含む。
2014518603.tif 000002
【特許請求の範囲】
【請求項１】
無線ネットワーク側と接続を確立する前に、無線端末が前記無線ネットワーク側に送信すべきデータを有するか否かを検出するステップであり、前記送信すべきデータは、前記無線端末と前記無線ネットワーク側との間の前記接続を確立するためのシグナリングデータを有するステップと、
前記無線端末が前記無線ネットワーク側に送信すべきデータを有するか否かを検出した結果が、前記無線端末が送信すべきデータを有さないものである場合、前記無線端末の電力増幅器PAが非動作状態にあることを確保するステップと、
前記無線端末が前記無線ネットワーク側に送信すべきデータを有するか否かを検出した結果が、前記無線端末が送信すべきデータを有するものである場合、前記無線端末のPAが動作状態にあることを確保するステップと
を有するデータ送信方法。
【請求項２】
前記無線端末の前記PAが前記動作状態にあることを確保した後に、前記方法は、
前記動作状態で前記PAを通じて前記無線端末の前記送信すべきデータを増幅し、前記増幅された送信すべきデータを前記無線ネットワーク側に送信するステップを有する、請求項１に記載の方法。
【請求項３】
前記無線端末と前記無線ネットワーク側との間の前記接続を確立するための前記シグナリングデータは、個別チャネルDCHリンク接続を確立するために前記無線端末により前記ネットワーク側に送信される要求データであり、
前記要求データは、ランダムアクセスチャネルRACHを通じて前記無線ネットワーク側に送信される、請求項１又は２に記載の方法。
【請求項４】
前記無線端末が前記無線ネットワーク側に送信すべきデータを有するか否かを検出することは、ベースバンドチップのコーダが送信すべきデータを有するか否かを検出することを有する、請求項１ないし３のうちいずれか１項に記載の方法。
【請求項５】
前記無線端末が前記無線ネットワーク側に送信すべきデータを有するか否かを検出することは、前記無線端末のベースバンドチップにより、少なくとも１つの無線フレームが、前記無線端末内に存在して前記無線端末の前記ベースバンドチップに接続された第１の記憶装置に存在するか否かを検出することを有し、
前記無線端末が前記無線ネットワーク側に送信すべきデータを有するか否かを検出した結果が、前記無線端末が送信すべきデータを有さないものである場合は、無線フレームが前記第１の記憶装置に存在しないことを有し、
前記無線端末が前記無線ネットワーク側に送信すべきデータを有するか否かを検出した結果が、前記無線端末が送信すべきデータを有するものである場合は、少なくとも１つの無線フレームが前記第１の記憶装置に存在することを有し、
前記少なくとも１つの無線フレームは、前記無線端末のアプリケーションプロセッサAPから前記ベースバンドチップにより受信され、前記第１の記憶装置に格納される、請求項１ないし３のうちいずれか１項に記載の方法。
【請求項６】
前記無線端末が前記無線ネットワーク側に送信すべきデータを有するか否かを検出することは、前記無線端末の前記ベースバンドチップにより、データが、前記無線端末内に存在して前記無線端末の前記ベースバンドチップに接続された第２の記憶装置又は前記ベースバンドチップ内に存在する第２の記憶装置に存在するか否かを検出することを更に有し、
前記無線端末が前記無線ネットワーク側に送信すべきデータを有するか否かを検出した結果が、前記無線端末が送信すべきデータを有さないものである場合は、前記データが前記第２の記憶装置に存在しないことを有し、
前記無線端末が前記無線ネットワーク側に送信すべきデータを有するか否かを検出した結果が、前記無線端末が送信すべきデータを有するものである場合は、前記データが前記第２の記憶装置に存在することを有し、
前記データは、前記少なくとも１つの無線フレームの一部又は全部である、請求項５に記載の方法。
【請求項７】
前記無線端末の前記PAが前記非動作状態にあることを確保することは、
前記無線端末の前記ベースバンドチップにより、シリアル周辺インタフェースSPIバスを通じて前記PAのSPIに第１のコマンドを送信することを有し、
前記第１のコマンドは、前記PAがスリープ状態になるように制御する、請求項１ないし６のうちいずれか１項に記載の方法。
【請求項８】
前記無線端末の前記PAが前記非動作状態にあることを確保することは、
前記無線端末の前記ベースバンドチップにより、デジタル無線周波数digRFバスを通じて前記PAのdigRFに第２のコマンドを送信することを有し、
前記第２のコマンドは、前記PAがスリープ状態になるように制御する、請求項１ないし６のうちいずれか１項に記載の方法。
【請求項９】
前記無線端末の前記PAが前記非動作状態にあることを確保することは、
前記無線端末の前記ベースバンドチップにより、前記PAのイネーブルインタフェースENに第３のコマンドを送信することを有し、
前記第３のコマンドは、前記PAがスリープ状態になるように制御する、請求項１ないし６のうちいずれか１項に記載の方法。
【請求項１０】
前記無線端末の前記PAが前記非動作状態にあることを確保することは、
前記無線端末の電源供給器により、前記PAがオフにされるように、前記PAの電源を中断することを有する、請求項１ないし６のうちいずれか１項に記載の方法。
【請求項１１】
ベースバンドチップと電力増幅器PAとを有する無線端末であって、
前記ベースバンドチップは、無線ネットワーク側との接続が確立される前に、前記ベースバンドチップが前記無線ネットワーク側に送信すべきデータを有するか否かを検出し、ただし、前記送信すべきデータは、前記無線端末と前記無線ネットワーク側との間の前記接続を確立するためのシグナリングデータを有し、検出結果が、前記ベースバンドチップが送信すべきデータを有さないものである場合、前記PAが非動作状態にあることを確保する第１のメッセージを前記PAに送信し、検出結果が、前記ベースバンドチップが送信すべきデータを有するものである場合、前記PAが動作状態にあることを確保する第２のメッセージを前記PAに送信するように構成され、
前記PAは、前記ベースバンドチップにより送信された前記第１のメッセージを受信し、前記第１のメッセージに従って前記PAが前記非動作状態にあることを確保するように、又は、前記ベースバンドチップにより送信された前記第２のメッセージを受信し、前記第２のメッセージに従って前記PAが前記動作状態にあることを確保するように構成される無線端末。
【請求項１２】
前記ベースバンドチップから前記送信すべきデータを受信し、前記送信すべきデータを変調し、前記変調後に第１のデータを前記PAに送信するように構成されたトランシーバを更に有し、
前記PAは、前記変調後に前記第１のデータを増幅するように更に構成され、
前記無線端末は、前記PAにより増幅された第２のデータを前記無線ネットワーク側に送信するように構成されたアンテナを更に有する、請求項１１に記載の無線端末。
【請求項１３】
前記送信すべきデータを生成し、前記送信すべきデータを前記ベースバンドチップに送信するように構成されたアプリケーションプロセッサAPを更に有する、請求項１１又は１２に記載の無線端末。
【請求項１４】
前記ベースバンドチップは、前記APから前記送信すべきデータを受信し、前記送信すべきデータの少なくとも１つの無線フレームを第１の記憶装置に格納し、
前記第１の記憶装置が前記送信すべきデータを有さない場合、前記検出に対応する結果は、前記ベースバンドチップが送信すべきデータを有さないものになり、
前記第１の記憶装置が前記送信すべきデータの前記少なくとも１つの無線フレームを有する場合、前記検出に対応する結果は、前記ベースバンドチップが送信すべきデータを有するものになり、
前記無線端末は、前記ベースバンドチップに接続され、前記送信すべきデータの前記少なくとも１つの無線フレームを格納するように構成された前記第１の記憶装置を更に有する、請求項１３に記載の無線端末。
【請求項１５】
前記第１の記憶装置が前記少なくとも１つの無線フレームを有する場合、前記ベースバンドチップは、前記第１の記憶装置の前記少なくとも１つの無線フレームの一部又は全部を第２の記憶装置に格納し、
前記第２の記憶装置がデータを有さない場合、前記検出に対応する結果は、前記ベースバンドチップが送信すべきデータを有さないものになり、
前記第２の記憶装置がデータを有する場合、前記検出に対応する結果は、前記ベースバンドチップが送信すべきデータを有するものになり、
前記データは、前記少なくとも１つの無線フレームの一部又は全部であり、
前記無線端末は、前記ベースバンドチップに接続され、前記データを格納するように構成された前記第２の記憶装置又は前記ベースバンドチップ内に存在し、前記データを格納するように構成された前記第２の記憶装置を更に有する、請求項１４に記載の無線端末。
【請求項１６】
前記無線端末が送信すべきデータを有するか否かを検出するように構成された前記ベースバンドチップは、特に、前記ベースバンドチップのコーダが送信すべきデータを有するか否かを前記ベースバンドチップが検出することであり、
前記送信すべきデータは、前記APにより前記ベースバンドチップに送信される、請求項１３に記載の無線端末。
【請求項１７】
前記PAが前記非動作状態にあることを確保する前記第１のメッセージを前記PAに送信するように構成された前記ベースバンドチップは、特に、前記ベースバンドチップがシリアル周辺インタフェースSPIバスを通じて前記PAのSPIに第１のコマンドを送信することであり、
前記第１のコマンドは、前記PAがスリープ状態になるように制御する、請求項１１ないし１６のうちいずれか１項に記載の無線端末。
【請求項１８】
前記PAが前記非動作状態にあることを確保する前記第１のメッセージを前記PAに送信するように構成された前記ベースバンドチップは、特に、前記ベースバンドチップがデジタル無線周波数digRFバスを通じて前記PAのdigRFインタフェースに第２のコマンドを送信することであり、
前記第２のコマンドは、前記PAがスリープ状態になるように制御する、請求項１１ないし１６のうちいずれか１項に記載の無線端末。
【請求項１９】
前記PAが前記非動作状態にあることを確保する前記第１のメッセージを前記PAに送信するように構成された前記ベースバンドチップは、特に、前記ベースバンドチップが前記PAのイネーブルインタフェースENに第３のコマンドを送信することであり、
前記第３のコマンドは、前記PAがスリープ状態になるように制御する、請求項１１ないし１６のうちいずれか１項に記載の無線端末。
【請求項２０】
電源供給器を更に有し、
前記PAが前記非動作状態にあることを確保する前記第１のメッセージを前記PAに送信するように構成された前記ベースバンドチップは、特に、前記PAがオフにされるように、前記ベースバンドチップが前記電源供給器に対して前記PAの電源を中断するように命令することである、請求項１１ないし１６のうちいずれか１項に記載の無線端末。
【請求項２１】
無線ネットワーク側との接続が確立される前に、無線端末が前記無線ネットワーク側に送信すべきデータを有するか否かを検出するように構成された第１のユニットであり、前記データは、前記無線端末と前記無線ネットワーク側との間の前記接続を確立するためのシグナリングデータを有する第１のユニットと、
前記無線端末が前記無線ネットワーク側に送信すべきデータを有するか否かを検出した結果が、前記無線端末が送信すべきデータを有さないものである場合、前記無線端末の電力増幅器PAが非動作状態にあることを確保するように構成された第２のユニットと、
前記無線端末が前記無線ネットワーク側に送信すべきデータを有するか否かを検出した結果が、前記無線端末が送信すべきデータを有するものである場合、前記PAが前記送信すべきデータを増幅し、前記増幅された送信すべきデータを前記無線ネットワーク側に送信するために、前記無線端末のPAが動作状態にあることを確保するように構成された第３のユニットと
を有するデータ送信装置。
【請求項２２】
前記第１のユニットは、特に、ベースバンドチップのコーダが送信すべきデータを有するか否かを検出するように構成される、請求項２１に記載のデータ送信装置。
【請求項２３】
前記第１のユニットは、特に、少なくとも１つの無線フレームが、前記無線端末内に存在して前記無線端末の前記ベースバンドチップに接続された第１の記憶装置に存在するか否かを検出するように構成され、
少なくとも１つの無線フレームが存在する場合、前記無線端末は、送信すべきデータを有し、
無線フレームが存在しない場合、前記無線端末は、送信すべきデータを有さず、
前記少なくとも１つの無線フレームは、前記無線端末のアプリケーションプロセッサAPから前記ベースバンドチップにより受信され、前記第１の記憶装置に格納される、請求項２１に記載のデータ送信装置。
【請求項２４】
前記第１のユニットは、特に、データが、前記無線端末内に存在して前記無線端末の前記ベースバンドチップに接続された第２の記憶装置又は前記ベースバンドチップ内に存在する第２の記憶装置に存在するか否かを検出するように構成され、
前記データが存在する場合、前記無線端末は、送信すべきデータを有し、
前記データが存在しない場合、前記無線端末は、送信すべきデータを有さず、
前記データは、前記少なくとも１つの無線フレームの一部又は全部である、請求項２３に記載のデータ送信装置。
【請求項２５】
前記第２のユニットは、特に、シリアル周辺インタフェースSPIバスを通じて前記PAのSPIに第１のコマンドを送信するように構成され、
前記第１のコマンドは、前記PAがスリープ状態になるように制御する、請求項２１ないし２４のうちいずれか１項に記載のデータ送信装置。
【請求項２６】
前記第２のユニットは、特に、デジタル無線周波数digRFバスを通じて前記PAのdigRFに第２のコマンドを送信するように構成され、
前記第２のコマンドは、前記PAがスリープ状態になるように制御する、請求項２１ないし２４のうちいずれか１項に記載のデータ送信装置。
【請求項２７】
前記第２のユニットは、特に、前記PAのイネーブルインタフェースENに第３のコマンドを送信するように構成され、
前記第３のコマンドは、前記PAがスリープ状態になるように制御する、請求項２１ないし２４のうちいずれか１項に記載のデータ送信装置。
【請求項２８】
前記第２のユニットは、特に、前記PAがオフにされるように、前記PAの電源を中断するように構成される、請求項２１ないし２４のうちいずれか１項に記載のデータ送信装置。
【請求項２９】
無線ネットワーク側装置と、
請求項１１ないし２０のうちいずれか１項に記載の、前記無線ネットワーク側装置と通信接続する無線端末と
を有するデータ送信システム。
【請求項３０】
無線ネットワーク側装置と、
請求項２１ないし２８のうちいずれか１項に記載の、前記無線ネットワーク側装置と通信接続するデータ送信装置と
を有するデータ送信システム。
【請求項３１】
コンピュータがコンピュータプログラムコードを格納し、前記コンピュータプログラムコードがコンピュータにより実行された場合、前記コンピュータプログラムコードは、前記コンピュータに対して請求項１ないし１０のうちいずれか１項に記載の方法のステップを実行可能にするコンピュータ可読記憶媒体。
【請求項３２】
コンピュータプログラムコードがコンピュータにより実行された場合、コンピュータに対して請求項１ないし１０のうちいずれか１項に記載の方法のステップを実行可能にするコンピュータプログラムコードを有するコンピュータプログラムプロダクト。
【発明の詳細な説明】
【技術分野】
【０００１】
本発明は、無線通信の分野に関し、特に、データ送信方法、装置及びシステムに関する。
【背景技術】
【０００２】
現在では、データ送信を実施する無線端末の手順において、無線ネットワークとの通信リンクを確立した後に、無線端末は、DCH（Dedicated  Channel）状態に入る。この状態で、無線ネットワークは、データを送信及び受信するために、無線端末装置のユーザに使用される個別通信リンク（dedicated  communication  link）を提供する。通信データが通常通り相互作用するために、ユーザが無線ネットワーク側にデータを送信した後に、無線端末は、比較的長い期間の間に、上りリンク（無線端末装置から無線ネットワーク側への方向）の電力増幅器（PA：power  amplifier）をオン状態に保持する。PAは、無線端末から無線ネットワーク側に送信されるデータの電力を増幅し得る。この期間に、リンクの品質を確保するために、端末装置は、定期的にテスト報告データを送信し、DCHリンクの使用が満了するまでPAがオフにされる。
【発明の概要】
【発明が解決しようとする課題】
【０００３】
一般的に、満了時間は、ネットワークにより判定され、一般的には、異なるモデル、所要の多重方法及び無線ネットワークのキャパシティ構成に従って10秒〜60秒である。この期間に、送信すべきデータが存在するか否かに拘らず、通常の無線端末装置はPAをオンにする。しかし、実際の使用の観点から、ほとんどの端末ユーザが装置を使用する場合、受信される下りリンクサービスのトラヒックは、上りリンクサービスのトラヒックよりかなり大きく、このため、長期間にオンにされるPAは、明らかに無線端末装置の電気の浪費になる。
【０００４】
本発明の実施例は、無線端末装置の電気消費を低減することができるデータ送信方法、装置及びシステムを提供する。
【課題を解決するための手段】
【０００５】
前述の目的によれば、本発明の実施例の技術的対策は以下のように実施される。
【０００６】
データ送信方法は、無線ネットワーク側と接続を確立する前に、無線端末が無線ネットワーク側に送信すべきデータを有するか否かを検出するステップであり、送信すべきデータは、無線端末と無線ネットワーク側との間の接続を確立するためのシグナリングデータを含むステップと、無線端末が無線ネットワーク側に送信すべきデータを有するか否かを検出した結果が、無線端末が送信すべきデータを有さないものである場合、無線端末の電力増幅器PAが非動作状態にあることを確保するステップと、無線端末が無線ネットワーク側に送信すべきデータを有するか否かを検出した結果が、無線端末が送信すべきデータを有するものである場合、無線端末のPAが動作状態にあることを確保するステップとを含む。
【０００７】
無線端末は、ベースバンドチップと電力増幅器PAとを有する。ベースバンドチップは、無線ネットワーク側との接続が確立される前に、ベースバンドチップが無線ネットワーク側に送信すべきデータを有するか否かを検出し、ただし、送信すべきデータは、無線端末と無線ネットワーク側との間の接続を確立するためのシグナリングデータを含み、検出結果が、ベースバンドチップが送信すべきデータを有さないものである場合、PAが非動作状態にあることを確保する第１のメッセージをPAに送信し、検出結果が、ベースバンドチップが送信すべきデータを有するものである場合、PAが動作状態にあることを確保する第２のメッセージをPAに送信するように構成される。PAは、ベースバンドチップにより送信された第１のメッセージを受信し、第１のメッセージに従ってPAが非動作状態にあることを確保するように、又は、ベースバンドチップにより送信された第２のメッセージを受信し、第２のメッセージに従ってPAが動作状態にあることを確保するように構成される。
【０００８】
データ送信装置は、無線ネットワーク側との接続が確立される前に、無線端末が無線ネットワーク側に送信すべきデータを有するか否かを検出するように構成された第１のユニットであり、送信すべきデータは、無線端末と無線ネットワーク側との間の接続を確立するためのシグナリングデータを含む第１のユニットと、無線端末が無線ネットワーク側に送信すべきデータを有するか否かを検出した結果が、無線端末が送信すべきデータを有さないものである場合、無線端末の電力増幅器PAが非動作状態にあることを確保するように構成された第２のユニットと、無線端末が無線ネットワーク側に送信すべきデータを有するか否かを検出した結果が、無線端末が送信すべきデータを有するものである場合、PAが送信すべきデータを増幅し、増幅された送信すべきデータを無線ネットワーク側に送信するために、無線端末のPAが動作状態にあることを確保するように構成された第３のユニットとを含む。
【０００９】
データ送信システムは、無線ネットワーク側装置と、無線ネットワーク側装置と通信接続する無線端末とを含む。
【００１０】
データ送信システムは、無線ネットワーク側装置と、無線ネットワーク側装置と通信接続するデータ送信装置とを含む。
【００１１】
コンピュータ可読記憶媒体は、コンピュータがコンピュータプログラムコードを格納し、コンピュータプログラムコードがコンピュータにより実行された場合、コンピュータプログラムコードがコンピュータに対してデータ送信方法のいずれかのステップを実行可能にし得ることを特徴とする。
【００１２】
コンピュータプログラムプロダクトは、コンピュータプログラムプロダクトがコンピュータプログラムコードを含み、コンピュータプログラムコードがコンピュータにより実行された場合、コンピュータプログラムコードがコンピュータに対してデータ送信方法のいずれかのステップを実行可能にし得ることを特徴とする。
【００１３】
前述の対策から、本発明の実施例で提供されるデータ送信方法、装置及びシステムにおいて、無線端末が送信すべきデータを有さないことが判定された場合、無線端末のPAが非動作状態にあることを確保し、PAは必ずしも動作していないことが分かる。このため、無線端末のPAの電力消費が節約されるため、無線端末装置の電気消費を低減する。
【図面の簡単な説明】
【００１４】
【図１】本発明の第１の実施例におけるデータ送信方法の概略フローチャート
【図２】本発明の第２の実施例におけるデータ送信方法の詳細なフローチャート
【図３】本発明の実施例のデータ送信方法を採用したPAの効果と、従来技術を採用したPAの効果との比較図
【図４】本発明の第３の実施例における無線端末の概略構成図
【図５】本発明の第４の実施例におけるデータ送信装置の概略構成図
【図６】本発明の第５の実施例におけるデータ送信システムの概略構成図
【図７】本発明の第６の実施例におけるデータ送信システムの概略構成図
【発明を実施するための形態】
【００１５】
本発明の目的、技術的対策及び利点を理解しやすくするために、以下に、添付図面を参照して本発明の実施例を詳細に説明する。
【００１６】
本発明の第１の実施例は、図１の概略フローチャートに示すデータ送信方法を提供する。図１の概略フローチャートは、以下のステップを含む。
【００１７】
ステップ101：無線端末が無線ネットワーク側に送信すべきデータを有するか否かを検出する。データはシグナリングデータ又はユーザデータを含む。
【００１８】
ステップ102：無線端末が無線ネットワーク側に送信すべきデータを有するか否かを検出した結果が、無線端末が送信すべきデータを有さないものである場合、無線端末の上りリンク電力増幅器（PA：power  amplifier）が非動作状態にあることを確保する。
【００１９】
この文章に含まれる“確保（make  sure）”という用語は、保証を示す。PAが動作状態にある場合、PAを動作状態に保持し、PAが動作状態にない場合、PAを動作状態にする。
【００２０】
ステップ103：無線端末が無線ネットワーク側に送信すべきデータを有するか否かを検出した結果が、無線端末が無線ネットワーク側に送信すべきデータを有するものである場合、無線端末のPAが動作状態にあることを確保する。
【００２１】
ステップ102及びステップ103の順序は交換されてもよく、これは、本発明の実施例の特定の実装に影響を与えない。
【００２２】
前述のデータ送信方法によれば、PAのオン又はオフは、無線端末が送信すべきデータを有するか否かに従って制御されてもよい。データが送信された後、又は無線ネットワーク側に送信すべきデータが存在しない場合、PAはオフにされる。これにより、無線端末の上りリンク電力消費が低減可能になり、無線端末が無線ネットワーク側と相互作用する必要がない場合に、無線端末のエネルギー節約が実施される。
【００２３】
ステップ103の後に、前述の方法は、以下のステップのうち少なくとも１つを更に含んでもよい。
【００２４】
ステップ104：動作状態でPAを通じて無線端末の送信すべきデータを増幅し、増幅された送信すべきデータを無線ネットワーク側に送信する。
【００２５】
ステップ105：増幅された送信すべきデータの送信が完了したか否かを検出する。
【００２６】
ステップ106：送信が完了した場合、無線端末のPAが非動作状態にあることを確保する。ここでの非動作状態は、スリープ動作モード及び電源オフ動作モードを含んでもよい。
【００２７】
無線端末が無線ネットワーク側に送信すべきデータを有するか否かを検出することは、以下の３つの検出方法のうち１つにより実施されてもよい。
【００２８】
第１の方法：無線端末のベースバンドチップは、少なくとも１つの無線フレームが、無線端末内に存在して無線端末のベースバンドチップに接続された第１の記憶装置に存在するか否かを検出する。無線端末が無線ネットワーク側に送信すべきデータを有するか否かを検出した結果が、無線端末が送信すべきデータを有さないものである場合は、無線フレームが第１の記憶装置に存在しないことを含む。無線端末が無線ネットワーク側に送信すべきデータを有するか否かを検出した結果が、無線端末が送信すべきデータを有するものである場合は、少なくとも１つの無線フレームが第１の記憶装置に存在することを含む。無線フレームが第１の記憶装置に存在しない場合、ベースバンドチップは、送信すべきデータを有さない。少なくとも１つの無線フレームが第１の記憶装置に存在する場合、ベースバンドチップは送信すべきデータを有する。少なくとも１つの無線フレームは、無線端末のアプリケーションプロセッサAPからベースバンドチップにより受信され、第１の記憶装置に格納される。
【００２９】
第２の方法：無線端末のベースバンドチップにより、無線端末が無線ネットワーク側に送信すべきデータを有するか否かを検出することは、送信すべきデータが無線端末のベースバンドチップのレイヤ１に存在するか否かを検出することを含んでもよい。送信すべきデータが無線端末のベースバンドチップのレイヤ１に存在するか否かを検出することは、特に、ベースバンドチップのコーダが送信すべきデータを有するか否かを検出することを含んでもよい。ベースバンドチップのコーダが送信すべきデータを有する場合（例えば、少なくとも１つの無線フレームのデータが存在する場合）、ベースバンドチップは、送信すべきデータを有する。ベースバンドチップのコーダが送信すべきデータを有さない場合、ベースバンドチップは、送信すべきデータを有さない。
【００３０】
第３の方法：無線端末のベースバンドチップは、送信すべきデータが無線端末のベースバンドチップのレイヤ３に存在するか否かを検出する。特に、送信すべきデータがレイヤ３のパケットデータコンバージェンスプロトコル（PDCP：Packet  Data  Convergence  Protocol）サブレイヤに存在するか否かが検出されてもよい。無線端末が送信すべきデータを有する場合、無線端末のPAが動作状態にあることを確保する前に、この方法は、レイヤ３により、送信すべきデータを無線端末の第２の記憶装置に格納することを更に含んでもよい。無線端末のPAが動作状態にあることを確保した後、且つ、動作状態においてPAを通じて無線端末の送信すべきデータを増幅して増幅された送信すべきデータを無線ネットワーク側に送信する前に、この方法は、無線端末のベースバンドチップのレイヤ１により、第２の記憶装置から送信すべきデータを読み取ることを更に含んでもよい。第２の記憶装置は、ベースバンドチップ内に存在してもよく、無線端末内に存在してベースバンドチップに接続されてもよい。レイヤ１は、所定の期間毎に第１の記憶装置から送信すべきデータを読み取ってもよい。好ましくは、所定の期間は、10ミリ秒でもよい。
【００３１】
無線端末が無線ネットワーク側に送信すべきデータを有するか否かを検出することは、無線端末のベースバンドチップにより、データが第２の記憶装置に存在するか否かを検出することを更に含む。第２の記憶装置は、無線端末内に存在して無線端末のベースバンドチップに接続される、或いは、ベースバンドチップ内に存在する。
【００３２】
無線端末が無線ネットワーク側に送信すべきデータを有するか否かを検出した結果が、無線端末が送信すべきデータを有さないものであることは、データが第２の記憶装置に存在しないことを含む。
【００３３】
無線端末が無線ネットワーク側に送信すべきデータを有するか否かを検出した結果が、無線端末が送信すべきデータを有するものであることは、データが第２の記憶装置に存在し、データが少なくとも１つの無線フレームの一部又は全部であることを含む。
【００３４】
ここで、3GPPの無線インタフェースのプロトコルレイヤについて簡単に説明する。3GPPの無線インタフェースのプロトコルレイヤは、L3として記される上位レイヤ（レイヤ３）であり、様々なメッセージ及びプログラムを含み、サービスの制御及び管理を実行するネットワークアプリケーションレイヤを含む。レイヤ２及びレイヤ１は、無線インタフェースのプロトコルレイヤにおいて、レイヤ３の下に順に位置する。レイヤ２はデータリンクレイヤであり、L2として記され、中間レイヤである。L2は、様々なデータ送信構成を含み、データ送信における制御を実行し、信頼性のある個別データリンクが移動局と基地局との間に確立されることを確保する。レイヤ１は物理レイヤであり、L1として記され、ビットストリームを伝送することにより必要とされる無線リンクを提供する下位レイヤである。L1、L2及びL3は、無線端末における全ての３つの独立した3GPPプロトコルレイヤである。
【００３５】
ステップ102において、無線端末のPAが動作状態にあることを確保した後に、この方法は、無線端末のベースバンドチップのレイヤ１により、無線端末のPAが動作状態にあることをうまく確保したというメッセージをレイヤ３に通知することを更に含んでもよい。
【００３６】
無線端末のベースバンドチップのレイヤ１により、無線端末のPAが動作状態にあることをうまく確保したというメッセージをレイヤ３に通知することは、無線端末のベースバンドチップのレイヤ１により、第１のフラグのビット状態が、PAが動作状態にあることに対応するものであることを判定することを含んでもよい。これにより、レイヤ３は判定された第１のフラグのビットを読み取り、第１のフラグのビットは、無線端末のPAが動作状態にあるか否かを示すために使用される。第１のフラグのビットは、識別子（例えば、設定された後にPAが動作状態にあることを示す1の値を有し、設定されていない場合にPAがうまくオンになっていないことを示す0の値を有するブール変数のビット）でもよく、F1として記されてもよい。第１のフラグのビットについて、ステップ209における第１のフラグのビットの説明に参照が行われてもよい。
【００３７】
ステップ106において、送信すべきデータの送信が完了した後に、この方法は、無線端末のベースバンドチップのレイヤ１により、送信すべきデータの送信が完了したことを示すメッセージをレイヤ３に通知することを含んでもよい。レイヤ３は、送信すべきデータの送信が完了したことを示すメッセージに従ってPAをオフにするように制御してもよい。
【００３８】
無線端末のベースバンドチップのレイヤ１により、送信すべきデータの送信が完了したことを示すメッセージをレイヤ３に通知することは、無線端末のベースバンドチップのレイヤ１により、第２のフラグのビットの状態が送信すべきデータの送信が完了したことに対応するものであることを判定することを含んでもよい。これにより、レイヤ３は判定された第２のフラグのビットを読み取り、第２のフラグのビットは、送信すべきデータの送信が完了したか否かを示すために使用される。第２のフラグのビットは、識別子（例えば、設定された後に送信すべきデータの送信が完了したことを示す1の値を有し、設定されていない場合に送信すべきデータの送信が完了していないことを示す0の値を有するブール変数のビット）でもよく、F2として記されてもよい。第２のフラグのビットF2について、第２の実施例のステップ215における第２のフラグのビットの説明に参照が行われてもよく、ここでは詳細は繰り返さない。
【００３９】
レイヤ３により、判定された第１のフラグのビットを読み取ることは、レイヤ３により、所定の周期毎に判定された第１のフラグのビットを読み取ることを含んでもよい。
【００４０】
レイヤ３により、判定された第２のフラグのビットを読み取ることは、レイヤ３により、所定の周期毎に判定された第２のフラグのビットを読み取ることを含んでもよい。
【００４１】
所定の周期は10ミリ秒でもよい。
【００４２】
ステップ103及び106において、無線端末のPAが非動作状態にあることを確保することは、無線端末のベースバンドチップにより、シリアル周辺インタフェース（SPI：serial  peripheral  interface）バスを通じてPAのSPIに第１のコマンドを送信することを含んでもよい。第１のコマンドは、PAがスリープ状態になるように制御する。PAがスリープ状態である場合、PAは、動作状態のPAに比べて少ししか電気を消費しないため、動作状態のPAに比べて大量の電気エネルギーを節約する。
【００４３】
ステップ103及び106において、無線端末のPAが非動作状態にあることを確保することは、無線端末のベースバンドチップにより、デジタル無線周波数（digRF：digital  Radio  Frequency）バスを通じてPAのdigRFに第２のコマンドを送信することを含んでもよい。第２のコマンドは、PAがスリープ状態になるように制御する。
ステップ103及び106において、無線端末のPAが非動作状態にあることを確保することは、無線端末のベースバンドチップにより、PAのイネーブルインタフェースEN（enable  interface）に第３のコマンドを送信することを含んでもよい。第３のコマンドは、PAがスリープ状態になるように制御する。
ステップ103及び106において、無線端末のPAが非動作状態にあることを確保することは、無線端末の電源供給器により、PAの電源を中断することを含んでもよい。これにより、PAが電源オフにされる。特に、直流・直流（DC/DC）変換器が電源供給器とPAとの間に直列に接続されてもよく、DC/DC変換器は、電源供給器がPAに電力を供給するか否かを制御するために、ベースバンドチップを通じて制御される。電源供給器がPAに電力を供給しない場合、PAは電源オフにされる。ベースバンドチップを通じてDC/DC変換器を制御することは、従来技術に属し、ここでは繰り返されない。
【００４４】
ステップ105において、送信すべきデータの送信が完了したか否かを検出することは、無線端末が送信すべきデータを有することが検出された時点から20ミリ秒が経過したか否かを検出することを含む。送信すべきデータが送信されることは、無線端末が送信すべきデータを有することが検出された時点から20ミリ秒が経過したことを含む。
【００４５】
本発明の第２の実施例は、図２の詳細なフローチャートに示すデータ送信方法を提供する。図２の詳細なフローチャートは以下のステップを含む。
【００４６】
ステップ201：無線端末は、RRC（radio  resource  control）-DCH状態に入る。すなわち、DCH接続が無線端末とネットワーク側との間に接続される。
【００４７】
ステップ202：無線端末のベースバンドチップのレイヤ３で制御プレーンの上りリンクシグナリングデータを検出する。
【００４８】
ステップ203：無線端末のベースバンドチップのレイヤ３でユーザプレーンの上りリンクユーザデータを検出する。
【００４９】
ステップ202及び203の実行順序は厳密に制限されず、ステップ202が最初に実行されてもよく、ステップ203が最初に実行されてもよく、ステップ202及び203が同時に実行されてもよい。ステップ202及び203の検出方法について、本発明の第１の実施例に参照が行われてもよい。無線端末が無線ネットワーク側に送信すべきデータを有するか否かを検出することは、３つの検出方法のうち１つを採用することにより実行されてもよく、ここでは繰り返されない。
【００５０】
ステップ204：ステップ202のシグナリングデータの検出及びステップ203のユーザデータの検出の後に、前述のステップ202及び203で取得されたシグナリングデータ及び／又はユーザデータを連携させるために、無線端末は或る期間の間に待機する。好ましくは、待機時間は5ミリ秒でもよい。
【００５１】
ステップ205：無線端末のL3は、L3が送信すべき上りリンクデータを有するか否かを検出する。上りリンクデータは、ステップ202及び203で取得されたシグナリングデータ及び／又はユーザデータを含んでもよい。検出結果が、上りリンクデータが存在しないものである場合、無線端末は、ステップ204に戻り、待機を続ける。検出結果が、上りリンクデータが存在するものである場合、ステップ206に進む。
【００５２】
ステップ206：無線端末のL3が上りリンクデータを検出した場合、上りリンクデータを無線端末の第２の記憶装置に入れる。好ましくは、第２の記憶装置は、ベースバンドチップのL3に存在してもよい。当然に、記憶装置はまた、L3〜L1までのいずれかのレイヤでのデータアクセスが便利である限り、無線端末のL2又はL1に存在してもよい。任意選択で、第２の記憶装置はまた、無線端末内に存在してベースバンドチップに接続されてもよい。第２の記憶装置の容量は、上りリンクデータの一部がバッファに入れられ得る限り、如何なるサイズでもよい。例えば、第２の記憶装置の容量は、1Kバイトに設定されてもよい。上りリンクデータが格納された場合、上りリンクデータのバッファ領域の第１のアドレス及び長さは、第２の記憶装置に記録されてもよい。異なる無線端末は異なる処理能力を有するため、上りリンクデータは、生成されたときにリアルタイムに無線ネットワーク側に送信されてもよい。従って、第２の記憶装置の構成は任意選択である。このステップも任意選択である。
【００５３】
ステップ207：L3の上りリンクデータの一部又は全部が第２の記憶装置に格納された後に、L3は、L3が無線ネットワーク側に送信される必要のある上りリンクデータを有することをL1に積極的に通知してもよい。L3が無線ネットワーク側に送信される必要のある上りリンクデータを有することをL1が積極的に学習した後に、ベースバンドチップがPAをオンにすることを確保することも可能である。
【００５４】
L3が無線ネットワーク側に送信される必要のある上りリンクデータを有することをL1が学習することは、第２の記憶装置が所定の周期毎に検査されることでもよい。データが第２の記憶装置に存在する場合、データは送信すべき上りリンクデータである。
【００５５】
ステップ208：L1は或る期間の間に待機し、PAのオンが完了したことを確保する。通常の無線周波数PAは、確実に5ミリ秒以内にオンになってもよいため、5ミリ秒の遅延を有するタイマが設定され、タイミングが終了したときに、PAのオンが完了したことが判定される。
【００５６】
ステップ209：L1は、PAのオンが完了したか否かを判定する。PAのオンが完了したか否かは、PAの入出力ポート（I/Oポート）を検出することにより判定されてもよい。例えば、PAのI/Oポートが高い電気レベルである場合、対応するPAのオンが完了し、PAのI/Oポートが低い電気レベルである場合、対応するPAのオンが完了していないことが予め設定されてもよい。また、PAのI/Oポートが低い電気レベルである場合、対応するPAのオンが完了し、PAのI/Oポートが高い電気レベルである場合、対応するPAのオンが完了していないことが予め設定されてもよい。高い電気レベルは、1.5Vより高いロジック電圧を示してもよく、低い電気レベルは、0.3V未満のロジック電圧を示してもよい。判定結果は、無線端末（例えば、無線端末の記憶装置、特に第１の記憶装置又は第２の記憶装置）において識別子（例えば、設定された後に1の値を有し、設定されていない場合に0の値を有するブール変数のビット）を設定することにより提示されてもよい。これは第１のフラグのビットF1として記される。識別子F1は、L3、L2及びL1のいずれかのレイヤによりアクセスされてもよい。F1の構成は、PAの準備ができていない場合にL3からL1に送信されるデータストリームが次のフローを誤って実行することを妨げてもよい。これにより、この実施例の方法の実行精度を確保する。この実施例では、F1が設定された場合、L1に存在するPAが動作状態にあることを示し、F1が設定されていない場合、L1に存在するPAがうまくオンにされていないことを示すことが設定されてもよい。特に、F1は、L1〜L3の如何なるレイヤによりアクセスされてもよい。L1がPAのオンを完了した後に、L1はF1を設定する。L3は、PAのオンが完了したことを学習するために、L1による設定の後に読み取りを実行する。これにより、上りリンクデータ送信を実行する。L3により、判定された第１のフラグのビットを読み取ることは、L3により、所定の周期毎に判定された第１のフラグのビットを読み取ることを含む。所定の周期は10ミリ秒でもよい。当然に、無線端末が強力なリアルタイム処理能力を有する場合、PAは、送信すべきデータが存在することが確認された場合にリアルタイムでオンにされてもよいため、このステップは必要ではない。PAのオンが完了した場合、ステップ210に進む。PAのオンが完了していない場合、ステップ208に戻り、待機を続ける。
【００５７】
ステップ210：PAのオンが完了した場合、L3は第２の記憶装置からアップロードされるべきデータを取り出し、アップロードされるべきデータの送信の準備をする。ステップ206で説明したように、データは、送信されるために、リアルタイムでL3からL1に配信されてもよいため、第２の記憶装置の構成は任意選択であり、このステップにおいて第２の記憶装置からデータを取り出すことは任意選択である。
【００５８】
ステップ211：アップロードされるべきデータを取り出した後に、L3は、パッケージ化のためにデータをL2に送信する。すなわち、L2は、アップロードされるべきデータを無線ネットワーク側に送信するために、アップロードされるべきデータを無線チャネルで送信されるのに適したフォーマットにパッケージ化する。
【００５９】
ステップ212：L2がアップロードされるべきデータをL1に送信した後に、L1は、アップロードされるべきデータをネットワーク側に送信する。
【００６０】
ステップ213：無線端末はL1がアップロードされるべきデータを送信するのを待機する。
【００６１】
ステップ214：L1は、アップロードされるべき全てのデータの送信が完了したか否かを判定する。送信が完了していない場合、ステップ213に戻り、データの送信の完了を待機し続ける。送信が完了した場合、ステップ215に進む。アップロードされるべき全てのデータの送信が完了したか否かを判定することは、無線端末が送信すべきデータを有することが検出された時点から20ミリ秒が経過したか否かを検出することを含んでもよい。送信すべきデータの送信の完了は、無線端末が送信すべきデータを有することが検出された時点から20ミリ秒が経過したことを含む。20ミリ秒の時間は、遅延判定を通じて取得される。１つの無線フレーム長さは10ミリ秒であるため、無線端末が送信すべきデータを有することをベースバンドチップが検出した時点から無線フレームの送信が完了する時点まで、２倍の余剰（すなわち、20ミリ秒）が設定されてもよい。１つの無線フレームの送信は、20ミリ秒後に完了すると考えられる。
【００６２】
ステップ215：L1が送信を完了した後に、L1は、データの送信が完了したことをL3に通知する。特に、通知は、無線端末（例えば、無線端末の記憶装置、特に第１の記憶装置又は第２の記憶装置）において識別子（例えば、設定された後に1の値を有し、設定されていない場合に0の値を有するブール変数のビット）を設定することにより提示されてもよい。これは第２のフラグのビットF2として記される。識別子F2は、L3、L2及びL1のいずれかのレイヤによりアクセスされてもよい。この実施例では、F2の構成は、F2が設定された場合、送信すべきデータの送信がL1により完了したことを示し、F2が設定されていない場合、送信すべきデータがL1により送信されていないことを示すものでもよい。特に、F2は、L1〜L3の如何なるレイヤによりアクセスされてもよい。L2がPAのオフを完了した後に、L1はF2を設定する。L3は、上りリンクデータの送信が完了したことを学習するために、L1による設定の後に読み取りを実行する。上りリンクデータの送信が完了したことをベースバンドチップのL3が学習した場合、PAは、オフになるように制御される。
【００６３】
本発明のこの実施例の方法は、第１の実施例の方法に基づき、本発明のこの実施例は、データ送信の完了及びPAの完全なオンを確保するために、待機時間を設定する方法を採用する。データ送信が完了した後又はネットワーク側に送信すべきデータが存在しない場合、PAはオフにされる。これにより、無線端末の上りリンク電力消費が低減されてもよく、無線端末が無線ネットワーク側と相互作用する必要がないときに無線端末のエネルギーの節約が実施される。
【００６４】
本発明の実施例による方法を採用することにより、電力消費を低減する特定の効果について、以下の特定の例を通じて説明する。図３に示すように、ユーザが無線ネットワークを通じて無線端末でウェブページを開くことを例に挙げることにより、図３のリンク状態（図３の第１行で示す）から、無線端末のプロトコルスタックは、無線ネットワーク側の基地局とDCHリンクを確立するために、要求シグナリング（図３の第１行の最初のドットマトリクス状の格子で示す）を送信してもよいことが分かる。データ要求から、ユーザデータ（図３の第２行の斜めの格子で示す）がまず、無線ネットワークに送信され、測定報告（図３の第２行のドットマトリクス状の格子により示される一種のシグナリングデータ）が或る周期毎に無線ネットワークに送信されることが分かる。ユーザが送信すべきデータを長い期間（ネットワーク側で判定された時間であり、一般的には10〜60秒である）の間に有さないことが検出された後に、無線ネットワークは、リンクを積極的に切断する（図３の第１行の第２のドットマトリクス状の格子により示す）。従来技術の元の対策から、DCHリンクの確立からリンクの切断までの全体の手順において、PAは常にオン状態である、すなわち、ユーザデータ又はシグナリングデータが存在しない場合であっても、PAはオン状態を保持することが分かる。本発明の実施例のデータ送信方法が採用された後に、電力増幅器は、実際のデータ送信要求に従ってオンにされ、PAは、上りリンクデータの送信が完了した直後にオフにされる。これにより、意味のない電力消費を回避する。図３の第２行でのデータ要求において、ユーザデータ及びシグナリングデータが第４行でのPAのオフ状態に対応した後で、PAのオフ及びオンは、依然として何らかの遅延を必要とする。遅延は、PAの完全なオフ及びオンを確保するための安全な遅延である。好ましくは、無線周波数PAは、5ミリ秒以内に確実にオンにされることが設定されてもよい。特に、5ミリ秒の遅延を有するタイマが設定され、タイミングが終了したときに、PAのオン又はオフが完了したことが判定される。
【００６５】
本発明の第３の実施例は、図４に示す無線端末を更に提供する。無線端末は以下の構成要素を含む。
【００６６】
ベースバンドチップ401は、ベースバンドチップが送信すべきデータを有するか否かを検出するように構成される。送信すべきデータは、シグナリングデータ又はユーザデータを含む。検出結果が、ベースバンドチップが送信すべきデータを有さないものである場合、PAが非動作状態にあることを確保する第１のメッセージをPAに送信するように構成される。検出結果が、ベースバンドチップが送信すべきデータを有するものである場合、PAが動作状態にあることを確保する第２のメッセージをPAに送信するように構成される。
【００６７】
PA402は、ベースバンドチップにより送信された第１のメッセージを受信し、第１のメッセージに従ってPAが非動作状態にあることを確保するように構成される。或いは、ベースバンドチップにより送信された第２のメッセージを受信し、第２のメッセージに従ってPAが動作状態にあることを確保するように構成される。
【００６８】
この実施例の無線端末は、送信すべきデータが存在するか否かに従って、PAのオン又はオフを制御するように構成されてもよい。送信すべきデータが存在する場合にのみ、PAはオンにされてもよい。これにより、無線端末の上りリンク電力消費が低減可能になり、無線端末が無線ネットワーク側と相互作用する必要がない場合に、無線端末のエネルギー節約が実施され得る。
【００６９】
この実施例は、ベースバンドチップから送信すべきデータを受信し、送信すべきデータを変調し、変調後に第１のデータをPAに送信するように構成されたトランシーバを更に含んでもよい。
【００７０】
PA402は、変調後に第１のデータを増幅するように更に構成される。
【００７１】
この実施例の無線端末は、更に以下の構成要素を含んでもよい。
【００７２】
アンテナ403は、PAにより増幅された第２のデータを無線ネットワーク側に送信するように構成される。
【００７３】
ベースバンドチップ401は、送信すべきデータの送信が完了したか否かを検出するように更に構成される。送信すべきデータの送信が完了した場合、PAが非動作状態にあることを確保する第１のメッセージをPAに送信するように構成される。
【００７４】
この実施例の無線端末は、送信すべきデータを生成し、送信すべきデータをベースバンドチップに送信するように構成されたアプリケーションプロセッサAP406を更に含んでもよい。
【００７５】
この実施例のベースバンドチップは、APから送信すべきデータを受信し、送信すべきデータの少なくとも１つの無線フレームを第１の記憶装置404に格納する。第１の記憶装置が送信すべきデータを有さない場合、検出に対応する結果は、ベースバンドチップが送信すべきデータを有さないものになる。第１の記憶装置が送信すべきデータの少なくとも１つの無線フレームを有する場合、検出に対応する結果は、ベースバンドチップが送信すべきデータを有するものになる。この実施例の無線端末は、ベースバンドチップに接続され、送信すべきデータの少なくとも１つの無線フレームを格納するように構成された第１の記憶装置404を更に含んでもよい。
【００７６】
更に、無線端末は、ベースバンドチップ401に接続され、データを格納するように構成された第２の記憶装置407（図４に示す）又はベースバンドチップに存在し、データを格納するように構成された第２の記憶装置407（図示せず）を更に含んでもよい。第２の記憶装置の特定の使用方法について、第１の実施例の第２の記憶装置の説明に参照が行われてもよい。
【００７７】
第１の記憶装置が少なくとも１つの無線フレームを有する場合、ベースバンドチップ401は、第１の記憶装置の少なくとも１つの無線フレームの一部又は全部を第２の記憶装置に格納する。第２の記憶装置がデータを有さない場合、検出に対応する結果は、ベースバンドチップが送信すべきデータを有さないものになる。第２の記憶装置がデータを有する場合、検出に対応する結果は、ベースバンドチップが送信すべきデータを有するものになり、データは、少なくとも１つの無線フレームの一部又は全部である。
【００７８】
ベースバンドチップ401は、送信すべきデータを第２の記憶装置407に格納し、第２の記憶装置407から送信すべきデータを読み取るように更に構成される。
【００７９】
ベースバンドチップ401は、所定の周期毎に第２の記憶装置407から送信すべきデータを読み取るように特に構成される。好ましくは、前述の所定の周期は10ミリ秒でもよい。
【００８０】
ベースバンドチップ401により無線端末が送信すべきデータを有するか否かを検出することは、特に、ベースバンドチップのコーダが送信すべきデータを有するか否かをベースバンドチップが検出することでもよい。送信すべきデータは、APによりベースバンドチップに送信される。
【００８１】
ベースバンドチップにより、PAが非動作状態にあることを確保する第１のメッセージをPAに送信することは、特に、ベースバンドチップがシリアル周辺インタフェースSPIバスを通じてPAのSPIに第１のコマンドを送信することでもよい。第１のコマンドは、PAがスリープ状態になるように制御する。
【００８２】
ベースバンドチップにより、PAが非動作状態にあることを確保する第１のメッセージをPAに送信することはまた、特に、ベースバンドチップがデジタル無線周波数digRFバスを通じてPAのdigRFインタフェースに第２のコマンドを送信することでもよい。第２のコマンドは、PAがスリープ状態になるように制御する。
【００８３】
ベースバンドチップにより、PAが非動作状態にあることを確保する第１のメッセージをPAに送信することはまた、特に、ベースバンドチップがPAのイネーブルインタフェースENに第３のコマンドを送信することでもよい。第３のコマンドは、PAがスリープ状態になるように制御する。
【００８４】
ベースバンドチップにより、PAが非動作状態にあることを確保する第１のメッセージをPAに送信することはまた、特に、ベースバンドチップが電源供給器に対してPAの電源を中断するように命令することでもよい。これにより、PAが電源オフにされる。
【００８５】
本発明の前述の実施例の無線端末に関して、第１の記憶装置が少なくとも１つの無線フレームを格納することが判定された場合、PAがオンにされ、送信すべきデータの送信が完了するまでPAがオフにされ、ベースバンドチップで送信される送信すべきデータが第２の記憶装置によりバッファに入れられる。これにより、上りリンクデータ送信の完了及び上りリンク送信の効率性を確保する。
【００８６】
本発明の第４の実施例は、図５に示すデータ送信装置を更に提供する。データ送信装置は、以下の構成要素を含む。
【００８７】
第１のユニット501は、無線端末が無線ネットワーク側に送信すべきデータを有するか否かを検出するように構成される。データは、シグナリングデータ又はユーザデータを含む。
【００８８】
第２のユニット502は、無線端末が無線ネットワーク側に送信すべきデータを有するか否かを検出した結果が、無線端末が送信すべきデータを有さないものである場合、無線端末の電力増幅器PAが非動作状態にあることを確保するように構成される。
【００８９】
第３のユニット503は、無線端末が無線ネットワーク側に送信すべきデータを有するか否かを検出した結果が、無線端末が送信すべきデータを有するものである場合、PAが送信すべきデータを増幅し、増幅された送信すべきデータを無線ネットワーク側に送信するために、無線端末のPAが動作状態にあることを確保するように構成される。
【００９０】
この実施例のデータ送信装置は、以下の構成要素を更に含んでもよい。
【００９１】
第４のユニット504は、送信すべきデータの送信が完了したか否かを検出するように構成される。
【００９２】
第５のユニット505は、送信すべきデータの送信が完了した場合、無線端末のPAが非動作状態にあることを確保するように構成される。
【００９３】
第１のユニットは、送信すべきデータが無線端末のベースバンドチップのレイヤ３に存在するか否かを検出するように特に構成されてもよい。
【００９４】
更に、第１のユニットは、送信すべきデータがレイヤ３のパケットデータコンバージェンスプロトコルPDCPサブレイヤに存在するか否かを検出するように特に構成されてもよい。
【００９５】
或いは、第１のユニットは、送信すべきデータが無線端末のベースバンドチップのレイヤ１に存在するか否かを検出するように特に構成されてもよい。
【００９６】
更に、第１のユニットは、送信すべきデータがベースバンドチップのコーダに存在するか否かを検出するように特に構成されてもよい。
【００９７】
或いは、第１のユニットは、少なくとも１つの無線フレームが無線端末内に存在して無線端末のベースバンドチップに接続された第１の記憶装置に存在するか否かを検出するように特に構成されてもよい。少なくとも１つの無線フレームが存在する場合、無線端末は送信すべきデータを有する。無線フレームが存在しない場合、無線端末は送信すべきデータを有さない。少なくとも１つの無線フレームは、無線端末のアプリケーションプロセッサAPからベースバンドチップにより受信され、第１の記憶装置に格納される。
【００９８】
第１のユニットは、データが無線端末内に存在して無線端末のベースバンドチップに接続された第２の記憶装置又はベースバンドチップ内に存在する第２の記憶装置に存在するか否かを検出するように特に構成される。データが存在する場合、無線端末は送信すべきデータを有する。データが存在しない場合、無線端末は送信すべきデータを有さない。データは、少なくとも１つの無線フレームの一部又は全部である。
【００９９】
第３のユニットは、無線端末のPAが動作状態にあることをうまく確保したというメッセージをレイヤ３に通知するように構成された第７のユニット507を更に含んでもよい。
【０１００】
第７のユニットは、第１のフラグのビット状態が、PAが動作状態にあることに対応するものであることを判定するように特に構成される。これにより、レイヤ３は判定された第１のフラグのビットを読み取り、第１のフラグのビットは、無線端末のPAが動作状態にあるか否かを示すために使用される。
【０１０１】
第５のユニットは、送信すべきデータの送信が完了したことを示すメッセージをレイヤ３に通知するように特に構成されてもよい。これにより、レイヤ３は、無線端末のPAが非動作状態にあることを確保する。
【０１０２】
第５のユニットは、第２のフラグのビットの状態が送信すべきデータの送信が完了したことに対応するものであることを判定するように特に構成されてもよい。これにより、レイヤ３は判定された第２のフラグのビットを読み取り、第２のフラグのビットは、送信すべきデータの送信が完了したか否かを示すために使用される。
【０１０３】
第２のユニット及び第５のユニットのそれぞれは、シリアル周辺インタフェースSPIバスを通じてPAのSPIに第１のコマンドを送信するように構成されてもよい。第１のコマンドは、PAがスリープ状態になるように制御する。
【０１０４】
或いは、第２のユニット及び第５のユニットのそれぞれは、デジタル無線周波数digRFバスを通じてPAのdigRFインタフェースに第２のコマンドを送信するように構成されてもよい。第２のコマンドは、PAがスリープ状態になるように制御する。
【０１０５】
或いは、第２のユニット及び第５のユニットのそれぞれは、PAのイネーブルインタフェースENに第３のコマンドを送信するように構成されてもよい。第３のコマンドは、PAがスリープ状態になるように制御する。
【０１０６】
或いは、第２のユニット及び第５のユニットのそれぞれは、PAの電源を中断するように構成されてもよい。これにより、PAがオフにされる。
【０１０７】
第４のユニットは、無線端末が送信すべきデータを有することが検出された時点から、20ミリ秒が経過したか否かを検出するように特に構成されてもよい。無線端末が送信すべきデータを有することが検出された時点から20ミリ秒が経過した場合、送信すべきデータの送信が完了する。
【０１０８】
本発明の実施例で提供されるデータ送信装置に関して、第１の記憶装置が少なくとも１つの無線フレームを格納することが判定された場合、PAがオンにされ、送信すべきデータの送信が完了するまでPAがオフにされ、ベースバンドチップで送信される送信すべきデータが第２の記憶装置によりバッファに入れられる。これにより、上りリンクデータ送信の完了及び上りリンク送信の効率性を確保する。
【０１０９】
本発明の第５の実施例は、図６に示すデータ送信システムを更に提供する。データ送信システムは、前述の実施例で説明した無線端末602と、無線ネットワーク側装置601とを含む。無線端末602は、無線ネットワーク側装置601と通信接続する。無線ネットワーク側装置601は、特に、無線ネットワーク側に存在する基地局装置でもよい。従って、無線端末の特定の実装では、第３の実施例の無線端末の実装に参照が行われてもよく、ここでは詳細は繰り返さない。
【０１１０】
本発明の第６の実施例は、図７に示すデータ送信システムを更に提供する。データ送信システムは、前述の実施例で説明したデータ送信装置702と、無線ネットワーク側装置701とを含む。データ送信装置702は、無線ネットワーク側装置701と通信接続する。無線ネットワーク側装置701は、特に、無線ネットワーク側に存在する基地局装置でもよい。従って、データ送信装置の特定の実装では、第４の実施例のデータ送信装置の実装に参照が行われてもよく、ここでは詳細は繰り返さない。
【０１１１】
本発明の第７の実施例は、データ送信方法を更に提供する。この実施例と本発明の前述の第１の実施例との差は、ステップ101において、無線ネットワーク側と接続を確立する前に、無線端末が無線ネットワーク側に送信すべきデータを有するか否かを検出し、ただし、送信すべきデータが無線端末と無線ネットワーク側との間の接続を確立するためのシグナリングデータを含む点にある。
【０１１２】
特に、無線端末と無線ネットワーク側との間の接続を確立するためのシグナリングデータは、個別チャネル（DCH：dedicated  channel）リンク接続を確立するために無線端末によりネットワーク側に送信される要求データでもよい。要求データは、ランダムアクセスチャネル（RACH：random  access  channel）を通じて無線ネットワーク側に送信される。
【０１１３】
明らかに、第２の実施例に比べて、第７の実施例のデータ送信方法は、無線ネットワーク側に送信すべきデータが、無線端末が実施例２に示すRRC-DCH状態に入った後に送信する代わりに、無線ネットワーク側との接続が確立される前に送信されるという差を有する。
【０１１４】
本発明の実施例のデータ送信方法は、無線ネットワーク側との接続が確立される前に、無線ネットワーク側に送信すべきデータが存在するか否か、すなわち、個別チャネルDCHリンク接続を確立するための要求データ（図３の第１行のリンク確立要求に対応する）に着目する。前述のリンク確立要求が存在する場合、無線端末のベースバンドチップは、PAをオンにするように制御し、リンク確立要求の送信が完了した後に、ベースバンドチップはPAをオフにするように制御する。これにより、PA及び無線端末の電力消費を効率的に低減する。
【０１１５】
本発明の第８の実施例は、無線端末を更に提供する。本発明の第３の実施例に比べて、差は、ベースバンドチップ401が、無線ネットワーク側との接続が確立される前に、ベースバンドチップが無線ネットワーク側に送信すべきデータを有するか否かを検出するように構成され、ただし、送信すべきデータが無線端末と無線ネットワーク側との間の接続を確立するためのシグナリングデータを含む点にある。検出結果が、ベースバンドチップが送信すべきデータを有さないものである場合、PAが非動作状態にあることを確保する第１のメッセージをPAに送信し、検出結果が、ベースバンドチップが送信すべきデータを有するものである場合、PAが動作状態にあることを確保する第２のメッセージをPAに送信する。
【０１１６】
特に、無線端末と無線ネットワーク側との間の接続を確立するためのシグナリングデータは、個別チャネル（DCH：dedicated  channel）リンク接続を確立するために無線端末によりネットワーク側に送信される要求データでもよい。要求データは、ランダムアクセスチャネル（RACH：random  access  channel）を通じて無線ネットワーク側に送信される。
【０１１７】
本発明の実施例の無線端末は、無線端末と無線ネットワーク側との間の接続が確立される前に、無線ネットワーク側に送信すべきデータが存在するか否か、すなわち、個別チャネルDCHリンク接続を確立するための要求データ（図３の第１行のリンク確立要求に対応する）に着目する。前述のリンク確立要求が存在する場合、無線端末のベースバンドチップは、PAをオンにするように制御し、リンク確立要求の送信が完了した後に、ベースバンドチップはPAをオフにするように制御する。これにより、PA及び無線端末の電力消費を効率的に低減する。
【０１１８】
本発明の第９の実施例は、データ送信装置を更に提供する。本発明の第４の実施例に比べて、差は、第１のユニットが、無線ネットワーク側との接続が確立される前に、無線端末が無線ネットワーク側に送信すべきデータを有するか否かを検出するように構成され、ただし、データが無線端末と無線ネットワーク側との間の接続を確立するためのシグナリングデータを含む点にある。
【０１１９】
特に、無線端末と無線ネットワーク側との間の接続を確立するためのシグナリングデータは、個別チャネル（DCH：dedicated  channel）リンク接続を確立するために無線端末によりネットワーク側に送信される要求データでもよい。要求データは、ランダムアクセスチャネル（RACH：random  access  channel）を通じて無線ネットワーク側に送信される。
【０１２０】
本発明の実施例のデータ送信装置は、無線端末と無線ネットワーク側との間の接続が確立される前に、無線ネットワーク側に送信すべきデータが存在するか否か、すなわち、個別チャネルDCHリンク接続を確立するための要求データ（図３の第１行のリンク確立要求に対応する）に着目する。前述のリンク確立要求が存在する場合、無線端末のベースバンドチップは、PAをオンにするように制御し、リンク確立要求の送信が完了した後に、ベースバンドチップはPAをオフにするように制御する。これにより、PA及び無線端末の電力消費を効率的に低減する。
【０１２１】
本発明の第１０の実施例は、データ送信システムを更に提供する。データ送信システムは、無線端末と、無線ネットワーク側装置とを含む。無線端末は、無線ネットワーク側装置と通信接続する。無線ネットワーク側装置は、特に、無線ネットワーク側に存在する基地局装置でもよい。従って、無線端末の特定の実装では、第８の実施例の無線端末の実装に参照が行われてもよく、ここでは詳細は繰り返さない。
【０１２２】
本発明の第１１の実施例は、データ送信システムを更に提供する。データ送信システムは、データ送信装置と、無線ネットワーク側装置とを含む。データ送信装置は、無線ネットワーク側装置と通信接続する。無線ネットワーク側装置は、特に、無線ネットワーク側に存在する基地局装置でもよい。従って、データ送信装置の特定の実装では、第９の実施例のデータ送信装置の実装に参照が行われてもよく、ここでは詳細は繰り返さない。
【０１２３】
本発明の第１２の実施例は、データ送信方法を更に提供する。この実施例と本発明の前述の第１の実施例との間の差は、ステップ101において、無線端末と無線ネットワーク側との間に接続を確立した後に、無線端末が無線ネットワーク側に送信すべきデータを有するか否かを検出し、ただし、送信すべきデータがシグナリングデータ又はユーザデータを含む点にある。
【０１２４】
特に、無線端末と無線ネットワーク側との間の接続は、個別チャネルDCHリンク接続である。送信すべきデータのシグナリングデータは、個別制御チャネル（DCCH：dedicated  control  channel）を通じて無線ネットワーク側に送信され、送信すべきデータのユーザデータは、個別トラヒックチャネル（DTCH：dedicated  traffic  channel）を通じてネットワーク側に送信される。
【０１２５】
明らかに、第７の実施例のデータ送信方法及び第２の実施例のデータ送信方法では、無線ネットワーク側に送信すべきデータは、無線ネットワーク側との接続が確立された後、すなわち、無線端末がRRC-DCH状態に入った後に送信される。
【０１２６】
本発明の実施例のデータ送信方法は、無線ネットワーク側との接続が確立された後に、個別制御チャネルDCCHを通じて無線ネットワーク側に送信されるシグナリングデータ（図３の第２行のドットマトリクス状の格子のシグナリングデータに対応する）と、個別トラヒックチャネルDTCHを通じて無線ネットワーク側に送信されるユーザデータ（図３の第２行の斜めの格子のユーザデータに対応する）とを含み、無線ネットワーク側に送信すべきデータが存在するか否かに着目する。前述のシグナリングデータ及び／又はユーザデータが存在する場合、無線端末のベースバンドチップは、PAをオンにし、シグナリングデータ及び／又はユーザデータの送信が完了した後に、ベースバンドチップは、PAをオフにするように制御する。これにより、PA及び無線端末の電力消費を効率的に低減する。
【０１２７】
本発明の第１３の実施例は、データ送信方法を更に提供する。この実施例と本発明の前述の第１の実施例との間の差は、無線端末を更に提供する。本発明の第３の実施例と比べて、差は、ベースバンドチップ401が、無線端末と無線ネットワーク側との間の接続が確立された後に、ベースバンドチップが送信すべきデータを有するか否かを検出するように構成され、ただし、送信すべきデータがシグナリングデータ又はユーザデータを含む点にある。検出結果が、ベースバンドチップが送信すべきデータを有さないものである場合、PAが非動作状態にあることを確保する第１のメッセージをPAに送信し、検出結果が、ベースバンドチップが送信すべきデータを有するものである場合、PAが動作状態にあることを確保する第２のメッセージをPAに送信する。
【０１２８】
特に、無線端末と無線ネットワーク側との間の接続は、個別チャネルDCHリンク接続である。送信すべきデータのシグナリングデータは、個別制御チャネルDDCHを通じて無線ネットワーク側に送信され、送信すべきデータのユーザデータは、個別トラヒックチャネルDTCHを通じて無線ネットワーク側に送信される。
【０１２９】
本発明の実施例の無線端末は、無線ネットワーク側との接続が確立された後に、個別制御チャネルDCCHを通じて無線ネットワーク側に送信されるシグナリングデータ（図３の第２行のドットマトリクス状の格子のシグナリングデータに対応する）と、個別トラヒックチャネルDTCHを通じて無線ネットワーク側に送信されるユーザデータ（図３の第２行の斜めの格子のユーザデータに対応する）とを含み、無線ネットワーク側に送信すべきデータが存在するか否かに着目する。前述のシグナリングデータ及び／又はユーザデータが存在する場合、無線端末のベースバンドチップは、PAをオンにし、シグナリングデータ及び／又はユーザデータの送信が完了した後に、ベースバンドチップは、PAをオフにするように制御する。これにより、PA及び無線端末の電力消費を効率的に低減する。
【０１３０】
本発明の第１４の実施例は、データ送信装置を更に提供する。本発明の第４の実施例に比べて、差は、第１のユニットが、無線端末と無線ネットワーク側との間の接続が確立された後に、無線端末が送信すべきデータを有するか否かを検出するように構成され、ただし、データがシグナリングデータ又はユーザデータを含む点にある。
【０１３１】
特に、無線端末と無線ネットワーク側との間の接続は、個別チャネルDCHリンク接続である。送信すべきデータのシグナリングデータは、個別制御チャネルDDCHを通じて無線ネットワーク側に送信され、送信すべきデータのユーザデータは、個別トラヒックチャネルDTCHを通じて無線ネットワーク側に送信される。
【０１３２】
本発明の実施例のデータ送信装置は、無線ネットワーク側との接続が確立された後に、個別制御チャネルDCCHを通じて無線ネットワーク側に送信されるシグナリングデータ（図３の第２行のドットマトリクス状の格子のシグナリングデータに対応する）と、個別トラヒックチャネルDTCHを通じて無線ネットワーク側に送信されるユーザデータ（図３の第２行の斜めの格子のユーザデータに対応する）とを含み、無線ネットワーク側に送信すべきデータが存在するか否かに着目する。前述のシグナリングデータ及び／又はユーザデータが存在する場合、無線端末のベースバンドチップは、PAをオンにし、シグナリングデータ及び／又はユーザデータの送信が完了した後に、ベースバンドチップは、PAをオフにするように制御する。これにより、PA及び無線端末の電力消費を効率的に低減する。
【０１３３】
本発明の第１５の実施例は、データ送信システムを更に提供する。データ送信システムは、無線端末と、無線ネットワーク側装置とを含む。無線端末は、無線ネットワーク側装置と通信接続する。無線ネットワーク側装置は、特に、無線ネットワーク側に存在する基地局装置でもよい。従って、無線端末の特定の実装では、第１３の実施例の無線端末の実装に参照が行われてもよく、ここでは詳細は繰り返さない。
【０１３４】
本発明の第１６の実施例は、データ送信システムを更に提供する。データ送信システムは、データ送信装置と、無線ネットワーク側装置とを含む。データ送信装置は、無線ネットワーク側装置と通信接続する。無線ネットワーク側装置は、特に、無線ネットワーク側に存在する基地局装置でもよい。従って、データ送信装置の特定の実装では、第１４の実施例のデータ送信装置の実装に参照が行われてもよく、ここでは詳細は繰り返さない。
【０１３５】
本発明の第１７の実施例は、コンピュータ可読記憶媒体を更に提供する。コンピュータは、コンピュータプログラムコードを格納し、コンピュータプログラムコードがコンピュータにより実行された場合、コンピュータプログラムコードは、コンピュータに対して本発明の第１、第２、第７又は第１２の実施例の方法のステップを実行するように確保してもよい。
【０１３６】
本発明の第１８の実施例は、コンピュータプログラムプロダクトを更に提供する。コンピュータプログラムプロダクトは、コンピュータプログラムコードを含み、コンピュータプログラムコードがコンピュータにより実行された場合、コンピュータプログラムコードは、コンピュータに対して本発明の第１、第２、第７又は第１２の実施例の方法のステップを実行するように確保してもよい。
【０１３７】
本発明の範囲及び概念を逸脱することなく、本発明に対して様々な変更及び変形が行われてもよいことが当業者に明らかである。前述のことを鑑みて、本発明の変更及び変形が以下の特許請求の範囲及びその均等の範囲内に入る場合、本発明はこのような変更及び変形をカバーするものとする。
【図１】
2014518603.tif 000003
【図２】
2014518603.tif 000004
【図３】
2014518603.tif 000005
【図４】
2014518603.tif 000006
【図５】
2014518603.tif 000007
【図６】
2014518603.tif 000008
【図７】
2014518603.tif 000009
【手続補正書】
【提出日】平成25年1月29日(2013.1.29)
【手続補正１】
【補正対象書類名】特許請求の範囲
【補正対象項目名】全文
【補正方法】変更
【補正の内容】
【特許請求の範囲】
【請求項１】
無線ネットワーク側と接続を確立する前に、無線端末が前記無線ネットワーク側に送信すべきデータを有するか否かを検出するステップであり、前記送信すべきデータは、前記無線端末と前記無線ネットワーク側との間の前記接続を確立するためのシグナリングデータを有するステップと、
前記無線端末が前記無線ネットワーク側に送信すべきデータを有するか否かを検出した結果が、前記無線端末が送信すべきデータを有さないものである場合、前記無線端末の電力増幅器PAが非動作状態にあることを確保するステップと、
前記無線端末が前記無線ネットワーク側に送信すべきデータを有するか否かを検出した結果が、前記無線端末が送信すべきデータを有するものである場合、前記無線端末のPAが動作状態にあることを確保するステップと
を有するデータ送信方法。
【請求項２】
前記無線端末と前記無線ネットワーク側との間の前記接続を確立するための前記シグナリングデータは、個別チャネルDCHリンク接続を確立するために前記無線端末により前記ネットワーク側に送信される要求データであり、
前記要求データは、ランダムアクセスチャネルRACHを通じて前記無線ネットワーク側に送信される、請求項１に記載の方法。
【請求項３】
前記無線端末が前記無線ネットワーク側に送信すべきデータを有するか否かを検出することは、前記無線端末のベースバンドチップにより、少なくとも１つの無線フレームが、前記無線端末内に存在して前記無線端末の前記ベースバンドチップに接続された第１の記憶装置に存在するか否かを検出することを有し、
前記無線端末が前記無線ネットワーク側に送信すべきデータを有するか否かを検出した結果が、前記無線端末が送信すべきデータを有さないものである場合は、無線フレームが前記第１の記憶装置に存在しないことを有し、
前記無線端末が前記無線ネットワーク側に送信すべきデータを有するか否かを検出した結果が、前記無線端末が送信すべきデータを有するものである場合は、少なくとも１つの無線フレームが前記第１の記憶装置に存在することを有し、
前記少なくとも１つの無線フレームは、前記無線端末のアプリケーションプロセッサAPから前記ベースバンドチップにより受信され、前記第１の記憶装置に格納される、請求項１又は２に記載の方法。
【請求項４】
前記無線端末が前記無線ネットワーク側に送信すべきデータを有するか否かを検出することは、前記無線端末の前記ベースバンドチップにより、データが、前記無線端末内に存在して前記無線端末の前記ベースバンドチップに接続された第２の記憶装置又は前記ベースバンドチップ内に存在する第２の記憶装置に存在するか否かを検出することを更に有し、
前記無線端末が前記無線ネットワーク側に送信すべきデータを有するか否かを検出した結果が、前記無線端末が送信すべきデータを有さないものである場合は、前記データが前記第２の記憶装置に存在しないことを有し、
前記無線端末が前記無線ネットワーク側に送信すべきデータを有するか否かを検出した結果が、前記無線端末が送信すべきデータを有するものである場合は、前記データが前記第２の記憶装置に存在することを有し、
前記データは、前記少なくとも１つの無線フレームの一部又は全部である、請求項３に記載の方法。
【請求項５】
前記無線端末が前記無線ネットワーク側に送信すべきデータを有するか否かを検出することは、ベースバンドチップのコーダが送信すべきデータを有するか否かを検出することを有する、請求項１又は２に記載の方法。
【請求項６】
前記無線端末の前記PAが前記非動作状態にあることを確保することは、
前記無線端末の前記ベースバンドチップにより、シリアル周辺インタフェースSPIバスを通じて前記PAのSPIに第１のコマンドを送信することを有し、
前記第１のコマンドは、前記PAがスリープ状態になるように制御する、請求項１ないし５のうちいずれか１項に記載の方法。
【請求項７】
前記無線端末の前記PAが前記非動作状態にあることを確保することは、
前記無線端末の前記ベースバンドチップにより、デジタル無線周波数digRFバスを通じて前記PAのdigRFに第２のコマンドを送信することを有し、
前記第２のコマンドは、前記PAがスリープ状態になるように制御する、請求項１ないし５のうちいずれか１項に記載の方法。
【請求項８】
前記無線端末の前記PAが前記非動作状態にあることを確保することは、
前記無線端末の前記ベースバンドチップにより、前記PAのイネーブルインタフェースENに第３のコマンドを送信することを有し、
前記第３のコマンドは、前記PAがスリープ状態になるように制御する、請求項１ないし５のうちいずれか１項に記載の方法。
【請求項９】
前記無線端末の前記PAが前記非動作状態にあることを確保することは、
前記無線端末の電源供給器により、前記PAがオフにされるように、前記PAの電源を中断することを有する、請求項１ないし５のうちいずれか１項に記載の方法。
【請求項１０】
前記無線端末の前記PAが前記動作状態にあることを確保した後に、前記方法は、
前記動作状態で前記PAを通じて前記無線端末の前記送信すべきデータを増幅し、前記増幅された送信すべきデータを前記無線ネットワーク側に送信するステップを有する、請求項１ないし６のうちいずれか１項に記載の方法。
【請求項１１】
ベースバンドチップと電力増幅器PAとを有する無線端末であって、
前記ベースバンドチップは、無線ネットワーク側との接続が確立される前に、前記ベースバンドチップが前記無線ネットワーク側に送信すべきデータを有するか否かを検出し、ただし、前記送信すべきデータは、前記無線端末と前記無線ネットワーク側との間の前記接続を確立するためのシグナリングデータを有し、検出結果が、前記ベースバンドチップが送信すべきデータを有さないものである場合、前記PAが非動作状態にあることを確保する第１のメッセージを前記PAに送信し、検出結果が、前記ベースバンドチップが送信すべきデータを有するものである場合、前記PAが動作状態にあることを確保する第２のメッセージを前記PAに送信するように構成され、
前記PAは、前記ベースバンドチップにより送信された前記第１のメッセージを受信し、前記第１のメッセージに従って前記PAが前記非動作状態にあることを確保するように、又は、前記ベースバンドチップにより送信された前記第２のメッセージを受信し、前記第２のメッセージに従って前記PAが前記動作状態にあることを確保するように構成される無線端末。
【請求項１２】
前記ベースバンドチップから前記送信すべきデータを受信し、前記送信すべきデータを変調し、前記変調後に第１のデータを前記PAに送信するように構成されたトランシーバを更に有し、
前記PAは、前記変調後に前記第１のデータを増幅するように更に構成され、
前記無線端末は、前記PAにより増幅された第２のデータを前記無線ネットワーク側に送信するように構成されたアンテナを更に有する、請求項１１に記載の無線端末。
【請求項１３】
前記送信すべきデータを生成し、前記送信すべきデータを前記ベースバンドチップに送信するように構成されたアプリケーションプロセッサAPを更に有する、請求項１１又は１２に記載の無線端末。
【請求項１４】
前記ベースバンドチップは、前記APから前記送信すべきデータを受信し、前記送信すべきデータの少なくとも１つの無線フレームを第１の記憶装置に格納し、
前記第１の記憶装置が前記送信すべきデータを有さない場合、前記検出に対応する結果は、前記ベースバンドチップが送信すべきデータを有さないものになり、
前記第１の記憶装置が前記送信すべきデータの前記少なくとも１つの無線フレームを有する場合、前記検出に対応する結果は、前記ベースバンドチップが送信すべきデータを有するものになり、
前記無線端末は、前記ベースバンドチップに接続され、前記送信すべきデータの前記少なくとも１つの無線フレームを格納するように構成された前記第１の記憶装置を更に有する、請求項１３に記載の無線端末。
【請求項１５】
前記第１の記憶装置が前記少なくとも１つの無線フレームを有する場合、前記ベースバンドチップは、前記第１の記憶装置の前記少なくとも１つの無線フレームの一部又は全部を第２の記憶装置に格納し、
前記第２の記憶装置がデータを有さない場合、前記検出に対応する結果は、前記ベースバンドチップが送信すべきデータを有さないものになり、
前記第２の記憶装置がデータを有する場合、前記検出に対応する結果は、前記ベースバンドチップが送信すべきデータを有するものになり、
前記データは、前記少なくとも１つの無線フレームの一部又は全部であり、
前記無線端末は、前記ベースバンドチップに接続され、前記データを格納するように構成された前記第２の記憶装置又は前記ベースバンドチップ内に存在し、前記データを格納するように構成された前記第２の記憶装置を更に有する、請求項１４に記載の無線端末。
【請求項１６】
前記無線端末が送信すべきデータを有するか否かを検出するように構成された前記ベースバンドチップは、特に、前記ベースバンドチップのコーダが送信すべきデータを有するか否かを前記ベースバンドチップが検出することであり、
前記送信すべきデータは、前記APにより前記ベースバンドチップに送信される、請求項１３に記載の無線端末。
【請求項１７】
無線ネットワーク側装置と、
請求項１１ないし１６のうちいずれか１項に記載の、前記無線ネットワーク側装置と通信接続する無線端末と
を有するデータ送信システム。
【請求項１８】
コンピュータプログラムがコンピュータで実行された場合、請求項１ないし１０のうちいずれか１項に記載の方法を実行するプログラムコードを有するコンピュータプログラム。
【国際調査報告】
2014518603.tif 000010
2014518603.tif 000011
2014518603.tif 000012
2014518603.tif 000013